(57)【要約】【課題】表示部の大画面化を図ったときでも、データ配線駆動回路の負荷が増大するのを防ぐことができる信頼性に優れた表示装置を提供する。【解決手段】マトリクス状に配列された複数のソース配線Ｓ１〜ＳＭ及び複数のゲート配線Ｇ１〜ＧＮと、複数の画素Ｐを液晶パネルに備えた液晶表示装置において、ソース配線Ｓ１〜ＳＭの一端側に接続されたソースドライバ２３−１〜２３−５と、ソース配線Ｓ１〜ＳＭの他端側に接続されたソースドライバ２３−６〜２３−１０と、液晶パネル２の周囲温度を検知する温度検知部２２を設けるとともに、パネル制御部２１が、温度検知部２２の検知結果を用いて、ソースドライバ２３−１〜２３−５及び２３−６〜２３−１０の少なくとも一方からソース配線Ｓ１〜ＳＭに出力されるデータ信号を制限する。【選択図】図２
2009288668.tif 000002
【特許請求の範囲】
【請求項１】
マトリクス状に配列された複数のデータ配線及び複数の走査配線と、前記データ配線と前記走査配線との交差部の近傍に設けられた複数の画素を表示部に備えた表示装置であって、
前記データ配線の一端側に接続されて、前記表示部に表示される情報に応じたデータ信号を出力する第１のデータ配線駆動回路と、
前記データ配線の他端側に接続されて、前記表示部に表示される情報に応じたデータ信号を出力する第２のデータ配線駆動回路と、
前記表示部の周囲温度を検知する温度検知部と、
前記第１及び第２のデータ配線駆動回路の駆動制御を行う制御部を備え、
前記制御部は、前記温度検知部の検知結果を用いて、前記第１及び第２のデータ配線駆動回路の少なくとも一方から前記データ配線に出力されるデータ信号を制限する、
ことを特徴とする表示装置。
【請求項２】
複数組の前記第１及び第２のデータ配線駆動回路が、設けられている請求項１に記載の表示装置。
【請求項３】
前記制御部が前記温度検知部からの検知結果が第１の閾値温度以上であることを判別したときには、前記制御部は前記第１及び第２のデータ配線駆動回路に接続された前記複数のデータ配線のうち、所定数のデータ配線に対して、前記第１及び第２のデータ配線駆動回路の一方からデータ信号を出力させ、かつ、残りのデータ配線に対して、前記第１及び第２のデータ配線駆動回路の他方からデータ信号を出力させる請求項１または２に記載の表示装置。
【請求項４】
前記制御部が前記温度検知部からの検知結果が第２の閾値温度以上であることを判別したときには、前記制御部は前記第１及び第２のデータ配線駆動回路のうち、いずれか一方のデータ配線駆動回路だけからデータ信号を前記データ配線に出力させる請求項１〜３のいずれか１項に記載の表示装置。
【請求項５】
前記いずれか一方のデータ配線駆動回路は、前記第１及び第２のデータ配線駆動回路のうち、重力の作用方向の下側に設けられたものである請求項４に記載の表示装置。
【請求項６】
前記表示部には、一対の透明基板と、前記一対の透明基板によって狭持される液晶層を備えた液晶パネルが用いられている請求項１〜５のいずれか１項に記載の表示装置。
【発明の詳細な説明】
【技術分野】
【０００１】
本発明は、複数のデータ配線及び複数の走査配線がマトリクス状に配列された表示部を有する表示装置に関する。
【背景技術】
【０００２】
近年、例えば液晶表示装置は、在来のブラウン管に比べて薄型、軽量などの特長を有するフラットパネルディスプレイとして、液晶テレビ、モニター、携帯電話などに幅広く利用されている。このような液晶表示装置は、文字や画像などの情報を表示する表示部としての液晶パネルを備えており、この液晶パネルには、マトリクス状に配列された複数のデータ配線（ソース配線）及び複数の走査配線（ゲート配線）と、データ配線と走査配線との交差部の近傍に薄膜トランジスタ（ＴＦＴ：Thin Film Transistor）などのスイッチング素子を有する複数の画素が設けられている。
【０００３】
また、従来の液晶表示装置には、例えば下記特許文献１に記載されているように、液晶パネルの周囲温度を検出する周囲温度検出回路を設けるとともに、この周囲温度検出回路の検出温度に基づいて、ソースドライバからソース配線に印加されるソース信号の印加出力時間を制御する制御部を具備したものが提案されている。そして、この従来の液晶表示装置では、液晶パネルに含まれた液晶層の液晶分子が低温時よりも高温時の方が動作（充電）され易いという特性を利用することにより、液晶表示装置の消費電力を削減可能とされていた。つまり、この従来の液晶表示装置では、検出温度が基準温度よりも低いときには、ソース信号の印加出力時間を長くし、かつ、検出温度が基準温度よりも高いときには、ソース信号の印加出力時間を短くすることによって、液晶表示装置の消費電力を少なくできるとされていた。
【特許文献１】特開２００２−３５１４２６号公報
【発明の開示】
【発明が解決しようとする課題】
【０００４】
しかしながら、上記のような従来の液晶表示装置では、表示部（液晶パネル）の大画面化を図ったときに、ソースドライバ（データ配線駆動回路）の負荷が増大することがあり、当該ソースドライバに故障などの異常が生じて、液晶表示装置の信頼性が低下するという問題点を発生することがあった。
【０００５】
具体的にいえば、上記従来の液晶表示装置では、ソースドライバはソース配線（データ配線）の一端側に接続されて、ソース信号（データ信号）を当該ソース配線に出力していた。このため、この従来の液晶表示装置では、表示部の大画面化に伴って、ソース配線が延ばされると、ソース配線の他端側に設けられた画素までソース信号を供給するために当該ソース信号を大きくする必要があった。
【０００６】
それゆえ、従来の液晶表示装置では、周囲温度やソース信号の大きさ、あるいはソースドライバに接続されているソース配線の接続本数などによっては、ソースドライバの負荷が増大し、ソースドライバが著しく発熱してソースドライバの許容使用温度を超えるおそれがあった。この結果、従来の液晶表示装置では、ソースドライバに故障などの異常が生じて、信頼性の低下を招くことがあった。
【０００７】
上記の課題を鑑み、本発明は、表示部の大画面化を図ったときでも、データ配線駆動回路の負荷が増大するのを防ぐことができる信頼性に優れた表示装置を提供することを目的とする。
【課題を解決するための手段】
【０００８】
上記の目的を達成するために、本発明にかかる表示装置は、マトリクス状に配列された複数のデータ配線及び複数の走査配線と、前記データ配線と前記走査配線との交差部の近傍に設けられた複数の画素を表示部に備えた表示装置であって、
前記データ配線の一端側に接続されて、前記表示部に表示される情報に応じたデータ信号を出力する第１のデータ配線駆動回路と、
前記データ配線の他端側に接続されて、前記表示部に表示される情報に応じたデータ信号を出力する第２のデータ配線駆動回路と、
前記表示部の周囲温度を検知する温度検知部と、
前記第１及び第２のデータ配線駆動回路の駆動制御を行う制御部を備え、
前記制御部は、前記温度検知部の検知結果を用いて、前記第１及び第２のデータ配線駆動回路の少なくとも一方から前記データ配線に出力されるデータ信号を制限することを特徴とするものである。
【０００９】
上記のように構成された表示装置では、データ配線の一端側及び他端側に第１及び第２のデータ配線駆動回路が接続されて、当該データ配線に対して上記データ信号が第１及び第２のデータ配線駆動回路から入力されるように構成されている。また、表示部の周囲温度を検知する温度検知部が設けられるとともに、制御部が温度検知部の検知結果を用いて、第１及び第２のデータ配線駆動回路の少なくとも一方からデータ配線に出力されるデータ信号を制限する。これにより、上記従来例と異なり、表示部の大画面化を図ったときでも、データ配線駆動回路の負荷が増大するのを防ぐことができ、信頼性に優れた表示装置を容易に構成することができる。
【００１０】
また、上記表示装置において、複数組の前記第１及び第２のデータ配線駆動回路が、設けられていることが好ましい。
【００１１】
この場合、表示部の大画面化を図ったときでも、複数組の第１及び第２の各データ配線駆動回路の負荷を確実に軽減することができる。
【００１２】
また、上記表示装置において、前記制御部が前記温度検知部からの検知結果が第１の閾値温度以上であることを判別したときには、前記制御部は前記第１及び第２のデータ配線駆動回路に接続された前記複数のデータ配線のうち、所定数のデータ配線に対して、前記第１及び第２のデータ配線駆動回路の一方からデータ信号を出力させ、かつ、残りのデータ配線に対して、前記第１及び第２のデータ配線駆動回路の他方からデータ信号を出力させてもよい。
【００１３】
この場合、第１及び第２のデータ配線駆動回路の負荷を適切に分散することができ、第１及び第２の各データ配線駆動回路での発熱を確実に抑制することができる。
【００１４】
また、上記表示装置において、前記制御部が前記温度検知部からの検知結果が第２の閾値温度以上であることを判別したときには、前記制御部は前記第１及び第２のデータ配線駆動回路のうち、いずれか一方のデータ配線駆動回路だけからデータ信号を前記データ配線に出力させることが好ましい。
【００１５】
この場合、第１及び第２のデータ配線駆動回路の他方を停止させるので、表示装置の消費電力を低減することができる。
【００１６】
また、上記表示装置において、前記いずれか一方のデータ配線駆動回路は、前記第１及び第２のデータ配線駆動回路のうち、重力の作用方向の下側に設けられたものであることが好ましい。
【００１７】
この場合、第１及び第２のデータ配線駆動回路のうち、周囲温度が低い側のデータ配線駆動回路だけが駆動されて、周囲温度が高い側のデータ配線駆動回路は停止されることとなり、周囲温度及び駆動に伴う発熱等に起因する故障などの異常がデータ配線駆動回路に生じるのを容易に防ぐことができる。
【００１８】
また、上記表示装置において、前記表示部には、一対の透明基板と、前記一対の透明基板によって狭持される液晶層を備えた液晶パネルが用いられてもよい。
【００１９】
この場合、制御部は上記検知結果に応じて液晶層を適切に動作させることができる。
【発明の効果】
【００２０】
本発明によれば、表示部の大画面化を図ったときでも、データ配線駆動回路の負荷が増大するのを防ぐことができる信頼性に優れた表示装置を提供することが可能となる。
【発明を実施するための最良の形態】
【００２１】
以下、本発明の表示装置の好ましい実施形態について、図面を参照しながら説明する。なお、以下の説明では、本発明を透過型の液晶表示装置に適用した場合を例示して説明する。また、各図中の構成部材の寸法は、実際の構成部材の寸法及び各構成部材の寸法比率等を忠実に表したものではない。
【００２２】
［第１の実施形態］
図１は、本発明の第１の実施形態にかかる液晶表示装置を説明する概略断面図である。図において、本実施形態の液晶表示装置１には、図の上側が視認側（表示面側）として設置される表示部としての液晶パネル２と、液晶パネル２の非表示面側（図の下側）に配置されて、当該液晶パネル２を照明する照明光を発生する照明装置３とが設けられている。
【００２３】
液晶パネル２は、液晶層４と、液晶層４を狭持する一対の透明基板としてのアクティブマトリクス基板５及びカラーフィルタ基板６と、アクティブマトリクス基板５及びカラーフィルタ基板６の各外側表面上にそれぞれ設けられた偏光板７、８とを備えている。また、液晶パネル２には、当該液晶パネル２を駆動するためのドライバ装置９、及びフレキシブルプリント基板１１を介してドライバ装置９に接続された駆動回路装置１０が設けられており、液晶パネル２では、液晶層４を画素単位に駆動可能に構成されている。そして、液晶パネル２では、液晶層４によって偏光板７を介して入射された上記照明光の偏光状態が変調され、かつ、偏光板８を通過する光量が制御されることにより、所望画像が表示される。
【００２４】
尚、液晶パネル２の液晶モードや画素構造は任意である。また、液晶パネル２の駆動モードも任意である。すなわち、液晶パネル２としては、情報を表示できる任意の液晶パネルを用いることができる。それ故、図１においては液晶パネル２の詳細な構造を図示せず、その説明も省略する。
【００２５】
照明装置３には、図の上側（液晶パネル２側）が開口した有底状のシャーシ１２と、シャーシ１２の液晶パネル２側に設置された枠状のフレーム１３とが設けられている。また、シャーシ１２及びフレーム１３は、金属または合成樹脂によって構成されており、フレーム１３の上方に液晶パネル２が設置された状態で、断面Ｌ字状のベゼル１４にて狭持されている。これにより、照明装置３は、液晶パネル２に組み付けられて、当該照明装置３からの照明光が液晶パネル２に入射される透過型の液晶表示装置１として一体化されている。
【００２６】
また、照明装置３は、シャーシ１２の開口部を覆うように設置された拡散板１５と、拡散板１５の上方で液晶パネル２側に設置された光学シート１７と、シャーシ１２の内面に設けられた反射シート１９とを備えている。また、照明装置３では、複数、例えば６本の冷陰極蛍光管２０がシャーシ１２の内部で液晶パネル２の下方側に設けられており、直下型の照明装置３を構成している。そして、照明装置３では、各冷陰極蛍光管２０からの光が液晶パネル２に対向配置される照明装置３の発光面から上記照明光として出射されるようになっている。
【００２７】
尚、上記の説明では、直下型の照明装置３を用いた構成について説明したが、本実施形態はこれに限定されるものではなく、導光板を有するエッジライト型の照明装置を用いてもよい。また、冷陰極蛍光管以外の熱陰極蛍光管やＬＥＤなどの他の光源を有する照明装置も用いることができる。
【００２８】
拡散板１５は、例えば厚さ２ｍｍ程度の長方形状の合成樹脂またはガラス材を用いて構成されており、冷陰極蛍光管２０からの光を拡散して、光学シート１７側に出射する。また、拡散板１５は、その四辺側がシャーシ１２の上側に設けられた枠状の表面上に載置されており、弾性変形可能な押圧部材１６を介在させてシャーシ１２の当該表面とフレーム１３の内面とで狭持された状態で照明装置３の内部に組み込まれている。さらに、拡散板１５では、その略中央部がシャーシ１２内部に設置された透明な支持部材（図示せず）にて支えられており、シャーシ１２の内側に撓むのが防がれている。
【００２９】
また、拡散板１５は、シャーシ１２と押圧部材１６との間で移動可能に保持されており、冷陰極蛍光管２０の発熱やシャーシ１２の内部の温度上昇などの熱の影響により、当該拡散板１５に伸縮（塑性）変形が生じたときでも、押圧部材１６が弾性変形することにて当該塑性変形が吸収されて、冷陰極蛍光管２０からの光の拡散性を極力低下しないようになっている。また、合成樹脂に比べて熱に強いガラス材の拡散板１５を用いる場合の方が、上記熱の影響による反り、黄変、熱変形等が生じ難い点で好ましい。
【００３０】
光学シート１７には、例えば厚さ０．５ｍｍ程度の合成樹脂フィルムにより構成された集光シートが含まれており、液晶パネル２への上記照明光の輝度を上昇させるように構成されている。また、光学シート１７には、液晶パネル２の表示面での表示品位の向上を行うためなどのプリズムシート、拡散シート、偏光シートなどの公知の光学シート材が必要に応じて適宜積層されるようになっている。そして、光学シート１７は、拡散板１５から出射された光を、所定の輝度（例えば、１００００ｃｄ／ｍ2）以上で、かつ、均一な輝度を有する面状光に変換し照明光として液晶パネル２側に入射させるように構成されている。なお、上記の説明以外に、例えば液晶パネル２の上方（表示面側）に当該液晶パネル２の視野角を調整するための拡散シート等の光学部材を適宜積層してもよい。
【００３１】
また、光学シート１７では、例えば液晶表示装置１の実使用時に上側となる、図１の左端辺側の中央部に、同図の左側に突出した突出部が形成されている。そして、光学シート１７では、上記突出部だけが弾性材１８を介在させてフレーム１３の内面と押圧部材１６とで狭持されており、当該光学シート１７は、照明装置３の内部に伸縮可能な状態で組み込まれている。これにより、光学シート１７では、冷陰極蛍光管２０の発熱などの上記の熱の影響により、伸縮（塑性）変形が生じたときでも、上記突出部を基準とした自由な伸縮変形が可能となり、シワや撓みなどが当該光学シート１７に発生するのが極力防がれるように構成されている。この結果、液晶表示装置１では、光学シート１７の撓み等に起因して、輝度ムラなどの表示品位の低下が液晶パネル２の表示面に発生するのを極力防止できるようになっている。
【００３２】
各冷陰極蛍光管２０には、直管状のものが用いられており、その両端部に設けられた電極部（図示せず）がシャーシ１２の外側にて支持されている。また、各冷陰極蛍光管２０には、直径３．０〜４．０ｍｍ程度の発光効率に優れた細管化されたものが使用されており、各冷陰極蛍光管２０は、図示しない光源保持具によって拡散板１５及び反射シート１９との各間の距離を所定距離に保たれた状態で、シャーシ１２の内部に保持されている。さらに、冷陰極蛍光管２０は、その長手方向が重力の作用方向と直交する方向に平行となるように、配置されている。これにより、冷陰極蛍光管２０では、その内部に封入された水銀（蒸気）が重力の作用により長手方向の一方の端部側に集まるのが防がれて、ランプ寿命が大幅に向上されている。
【００３３】
反射シート１９は、例えば厚さ０．２〜０．５ｍｍ程度のアルミニウムや銀などの光反射率の高い金属薄膜により構成されており、冷陰極蛍光管２０の光を拡散板１５に向かって反射する反射板として機能するようになっている。これにより、照明装置３では、冷陰極蛍光管２０から発光された光を拡散板１５側に効率よく反射して当該光の利用効率及び拡散板１５での輝度を高めることができる。なお、この説明以外に、上記金属薄膜に代えて、合成樹脂製の反射シート材を使用したり、例えばシャーシ１２の内面に光反射率の高い白色等の塗料を塗布することによって当該内面を反射板として機能させたりすることもできる。
【００３４】
次に、図２及び図３も参照して、本実施形態の液晶表示装置１の要部構成について具体的に説明する。
【００３５】
図２は上記液晶表示装置の要部構成を説明する図であり、図３は上記液晶表示装置でのソースドライバ及びゲートドライバの具体的な配置を示す平面図である。
【００３６】
図２及び図３において、液晶表示装置１（図１）には、文字や画像等の情報を表示する上記表示部としての液晶パネル２（図１）の駆動制御を行うパネル制御部２１と、液晶パネル２の周囲温度を検知して、その検知結果をパネル制御部２１に出力する温度検知部２２とが設けられている。また、液晶表示装置１は、制御部としてのパネル制御部２１からの指示信号を基に動作する複数、例えば１０個のソースドライバ２３−１、２３−２、…、２３−９、２３−１０（以下、“２３”にて総称する。）及び複数、例えば３個のゲートドライバ２４−１、２４−２、２４−３（以下、“２４”にて総称する。）を備えている。
【００３７】
パネル制御部２１は、駆動回路装置１０（図１）に設けられたものであり、液晶表示装置１の外部からの映像信号が入力されるようになっている。また、パネル制御部２１は、入力された映像信号に対して所定の画像処理を行ってソースドライバ２３及びゲートドライバ２４への各指示信号を生成する画像処理部２１ａと、入力された映像信号に含まれた１フレーム分の表示データを記憶可能なフレームバッファ２１ｂとを備えている。そして、パネル制御部２１が、入力された映像信号に応じて、ソースドライバ２３及びゲートドライバ２４の駆動制御を行うことにより、その映像信号に応じた情報が液晶パネル２に表示される。
【００３８】
温度検知部２２には、温度センサが用いられており、液晶パネル２の周囲温度を検知して、その検知した温度データ（検知結果）をパネル制御部２１に出力するようになっている。そして、パネル制御部２１では、温度検知部２２からの検知結果を用いて、液晶パネル２の有効表示領域Ａの上側及び下側にそれぞれ設けられたソースドライバ２３−１〜２３−５及び２３−６〜２３−１０から出力されるソース信号（データ信号）を制限するようになっている（詳細は後述。）。
【００３９】
ソースドライバ２３及びゲートドライバ２４は、アクティブマトリクス基板５上に設置されている。具体的には、図３に示すように、ソースドライバ２３−１〜２３−５は、アクティブマトリクス基板５の表面上において、液晶パネル２の有効表示領域Ａの上側の外側領域で当該液晶パネル２の横方向に沿うように直線状に設置されている。また、ソースドライバ２３−６〜２３−１０は、ソースドライバ２３−１〜２３−５にそれぞれ対向するように、アクティブマトリクス基板５の表面上において、液晶パネル２の有効表示領域Ａの下側の外側領域で当該液晶パネル２の横方向に沿うように直線状に設置されている。これらのソースドライバ２３−１〜２３−５及び２３−６〜２３−１０は、液晶表示装置１が使用されるときに、重力の作用方向の上側及び下側にそれぞれ配置されるようになっている。
【００４０】
また、ゲートドライバ２４−１〜２４−３は、アクティブマトリクス基板５の表面上において、上記有効表示領域Ａの外側領域で当該液晶パネル２の縦方向に沿うように直線状に設置されている。
【００４１】
また、ソースドライバ２３及びゲートドライバ２４は、液晶パネル２に設けられた複数の画素Ｐを画素単位に駆動する駆動回路であり、ソースドライバ２３及びゲートドライバ２４には、複数のソース配線Ｓ１〜ＳＭ（Ｍは、１０以上の整数、以下、“Ｓ”にて総称する。）及び複数のゲート配線Ｇ１〜ＧＮ（Ｎは、３以上の整数、以下、“Ｎ”にて総称する。）がそれぞれ接続されている。また、各ソースドライバ２３−１〜２３−１０では、同じ数のソース配線（データ配線）Ｓが接続されており、ソースドライバ２３−１〜２３−５及び２３−６〜２３−１０は、それぞれ第１及び第２のデータ配線駆動回路を構成している。また、各ゲートドライバ２４−１〜２４−３では、同じ数のゲート配線（走査配線）Ｇが接続されており、ゲートドライバ２４−１〜２４−３は、走査配線駆動回路を構成している。
【００４２】
具体的にいえば、各ソースドライバ２３−１〜２３−５には、（Ｍ／５）本のソース配線Ｓの一端側が接続されており、各ソースドライバ２３−６〜２３−１０には、（Ｍ／５）本のソース配線Ｓの他端側が接続されている。また、ソースドライバ２３−１〜２３−５及び２３−６〜２３−１０には、同じソース配線Ｓの一端側及び他端側がそれぞれ接続されており、パネル制御部２１からの指示信号に従って、液晶パネル２に表示される情報に応じたソース信号（データ信号）を同時に出力可能に構成されている。また、各ゲートドライバ２４−１〜２４−３には、（Ｎ／３）本のゲート配線Ｇが接続されており、ゲートドライバ２４−１〜２４−３が所定の走査方向（例えば液晶パネル２の上側から下側に向かう方向）に沿ってゲート信号（走査信号）を順次出力することで走査動作が行われるようになっている。
【００４３】
また、ソース配線Ｓ及びゲート配線Ｇは、少なくとも有効表示領域Ａ内において、マトリクス状に配列されており、当該マトリクス状に区画された各領域には、上記複数の各画素Ｐの領域が形成されている。具体的にいえば、図２に例示するように、ソース配線Ｓには、液晶パネル２の縦方向に平行に配列されたソース配線本体部Ｓ１ｂ、Ｓ２ｂ、Ｓ３ｂ、…と、これらソース配線本体部Ｓ１ｂ、Ｓ２ｂ、Ｓ３ｂ、…と対応するソースドライバ２３−１〜２３−５を距離が可能な限り長くならないように繋ぐ接続配線部Ｓ１ａ、Ｓ２ａ、Ｓ３ａ、…とが含まれている。また、ソース配線Ｓには、ソース配線本体部Ｓ１ｂ、Ｓ２ｂ、Ｓ３ｂ、…と対応するソースドライバ２３−６〜２３−１０を距離が可能な限り長くならないように繋ぐ接続配線部（図示せず）が含まれている。
【００４４】
同様に、ゲート配線Ｇには、液晶パネル２の横方向に平行に配列されたゲート配線本体部Ｇ１ｂ、Ｇ２ｂ、…と、これらゲート配線本体部Ｇ１ｂ、Ｇ２ｂ、…と対応するゲートドライバ２４−１〜２４−６を距離が可能な限り長くならないように繋ぐ接続配線部Ｇ１ａ、Ｇ２ａ、…とが含まれている。
【００４５】
また、複数の画素Ｐには、赤色、緑色、及び青色の画素が含まれている。また、これらの赤色、緑色、及び青色の画素は、例えばこの順番で、各ゲート配線Ｇのゲート配線本体部Ｇ１ｂ、ｇ２ｂ、…に平行に順次配設されている。
【００４６】
また、ゲート配線本体部Ｇ１ｂ、ｇ２ｂ、…には、画素Ｐ毎に設けられたスイッチング素子２５のゲートが接続されている。一方、ソース配線本体部Ｓ１ｂ、Ｓ２ｂ、Ｓ３ｂ、…には、スイッチング素子２５のソースが接続されている。また、各スイッチング素子２５のドレインには、画素Ｐ毎に設けられた画素電極２６が接続されている。また、各画素Ｐでは、共通電極２７が液晶パネル２に設けられた液晶層４（図１）を間に挟んだ状態で画素電極２６に対向するように構成されている。そして、ゲートドライバ２４は、画像処理部２１ａからの指示信号に基づいて、ゲート配線Ｇ１〜ＧＮに対して、対応するスイッチング素子２５のゲートをオン状態にするゲート信号を順次出力する。一方、ソースドライバ２３は、画像処理部２１ａからの指示信号に基づいて、表示画像の輝度（階調）に応じたソース信号（階調電圧）を対応するソース配線Ｓ１〜ＳＭに出力する。
【００４７】
ここで、図４〜図６も参照して、上記のように構成された液晶表示装置１の動作について具体的に説明する。なお、以下の説明では、ソースドライバ２３がパネル制御部２１からの指示信号に従って、ソース信号をソース配線Ｓに出力する動作について主に説明する。
【００４８】
図４は、上記ソースドライバの要部構成を示すブロック図である。図５は上記液晶表示装置でのソースドライバの動作例を説明する図であり、図６は上記液晶表示装置でのソースドライバの別の動作例を説明する図である。
【００４９】
まず図４を参照して、ソースドライバ２３の要部構成とその基本的な動作について説明する。
【００５０】
図４に例示するように、ソースドライバ２３には、シフトレジスタ２３ａと、このシフトレジスタ２３ａに順次接続されたサンプリングメモリ２３ｂ、ホールドメモリ２３ｃ、レベルシフタ２３ｄ、ＤＡコンバータ２３ｅ、及び出力回路２３ｆが設けられており、出力回路２３ｆに接続されたソース配線Ｓに対して、ソース信号を出力するようになっている。
【００５１】
シフトレジスタ２３ａは、パネル制御部２１からの指示信号に基づいて、シフト動作を行うことにより、外部からの映像信号のデータに対して、接続されたソース配線Ｓに出力すべきデータを選択する。サンプリングメモリ２３ｂは、図示を省略したデータラッチからシフトレジスタ２３ａにより選択されたデータをサンプリングして記憶する。
【００５２】
ホールドメモリ２３ｃは、パネル制御部２１からの指示信号に基づいて、サンプリングメモリ２３ｂに記憶されているデータを一括してラッチし記憶する。レベルシフタ２３ｄは、ホールドメモリ２３ｃに記憶されているデータを所定のレベルにシフトして、ＤＡコンバータ２３ｅに出力する。
【００５３】
ＤＡコンバータ２３ｅは、レベルシフタ２３ｄからのデータをアナログ信号に変換して、出力回路２３ｆに出力する。出力回路２３ｆには、オペアンプ吐出力バッファを有するボルテージフォロワが用いられており、接続された（Ｍ／５）本の各ソース配線Ｓに対して、ＤＡコンバータ２３ｅからの対応するアナログ信号を出力する。これにより、液晶パネル２の対応する画素に表示すべき情報に応じたソース信号が供給される。また、上記出力バッファには、スリーステートバッファが用いられており、パネル制御部２１からの指示信号に従って、ソース配線Ｓに対するアナログ信号（ソース信号）の出力を適宜停止できるように構成されている。
【００５４】
次に、図５及び図６も用いて、ソースドライバ２３からソース配線Ｓへのソース信号の出力動作について具体的に説明する。
【００５５】
図５において、温度検知部２２からの検知結果が第１の閾値温度未満（例えば、５℃未満）であることを通知されると、パネル制御部２１は上側のソースドライバ２３−１〜２３−５及び下側のソースドライバ２３−６〜２３−１０の双方を同時に駆動しても、これらソースドライバ２３−１〜２３−５及び２３−６〜２３−１０に負荷の増大による発熱によって、故障などの異常が生じないと判断する。それ故、パネル制御部２１は、図５（ａ）に示すように、上側のソースドライバ２３−１〜２３−５及び下側のソースドライバ２３−６〜２３−１０からソース配線Ｓに対してソース信号を出力させる。
【００５６】
具体的にいえば、例えばソースドライバ２３−１において、図５（ｂ）及び図５（ｃ）に示すように、時点Ｔ１〜Ｔ２において、ソース配線Ｓ１に対するソース信号の出力タイミングが設定され、時点Ｔ１でソース信号がソース配線Ｓ１の一端側に出力される。その後、ソースドライバ２３−１では、時点Ｔ３〜Ｔ４において、ソース配線Ｓ２に対するソース信号の出力タイミングが設定され、時点Ｔ３でソース信号がソース配線Ｓ２の一端側に出力された後、時点Ｔ５〜Ｔ６において、ソース配線Ｓ３に対するソース信号の出力タイミングが設定され、時点Ｔ５でソース信号がソース配線Ｓ３の一端側に出力される。
【００５７】
そして、ソースドライバ２３−１では、時点Ｔ７〜Ｔ８において、ソース配線Ｓ４に対するソース信号の出力タイミングが設定され、時点Ｔ７でソース信号がソース配線Ｓ４の一端側に出力された後、時点Ｔ９〜Ｔ１０において、ソース配線Ｓ５に対するソース信号の出力タイミングが設定され、時点Ｔ９でソース信号がソース配線Ｓ５の一端側に出力される。
【００５８】
尚、ソース信号を出力しないタイミング、例えば時点Ｔ２〜Ｔ３の間では、パネル制御部２１は、ソース信号の出力停止を行わせるために、上記出力バッファ内のスリーステートバッファの状態を、ハイインピーダンスな状態とさせて、ソース信号がソース配線Ｓに出力されるのを阻止するようになっている。
【００５９】
また、ソースドライバ２３−１と同じソース配線Ｓが接続されたソースドライバ２３−６においても、図５（ｄ）及び図５（ｅ）に示すように、時点Ｔ１〜Ｔ２において、ソース配線Ｓ１に対するソース信号の出力タイミングが設定され、時点Ｔ１でソース信号がソース配線Ｓ１の他端側に出力される。その後、ソースドライバ２３−６では、時点Ｔ３〜Ｔ４において、ソース配線Ｓ２に対するソース信号の出力タイミングが設定され、時点Ｔ３でソース信号がソース配線Ｓ２の他端側に出力された後、時点Ｔ５〜Ｔ６において、ソース配線Ｓ３に対するソース信号の出力タイミングが設定され、時点Ｔ５でソース信号がソース配線Ｓ３の他端側に出力される。
【００６０】
そして、ソースドライバ２３−６では、時点Ｔ７〜Ｔ８において、ソース配線Ｓ４に対するソース信号の出力タイミングが設定され、時点Ｔ７でソース信号がソース配線Ｓ４の他端側に出力された後、時点Ｔ９〜Ｔ１０において、ソース配線Ｓ５に対するソース信号の出力タイミングが設定され、時点Ｔ９でソース信号がソース配線Ｓ５の他端側に出力される。
【００６１】
また、このように温度検知部２２からの検知結果が第１の閾値温度未満であるときには、上側のソースドライバ２３−１〜２３−５及び下側のソースドライバ２３−６〜２３−１０の双方からソース配線Ｓに対して、ソース信号が供給されるので、上記液晶層４が比較的充電され難い低温時においても、各画素において、ソース電圧を適切に充電することができる。
【００６２】
また、図６において、温度検知部２２からの検知結果が第１の閾値温度以上であることを通知されると、パネル制御部２１は上側のソースドライバ２３−１〜２３−５及び下側のソースドライバ２３−６〜２３−１０の双方を同時に駆動した場合、これらソースドライバ２３−１〜２３−５及び２３−６〜２３−１０に負荷の増大による発熱によって、故障などの異常が生じるおそれがあると判断する。それ故、パネル制御部２１は、図６（ａ）〜図６（ｅ）に例示するように、上側のソースドライバ２３−１〜２３−５及び下側のソースドライバ２３−６〜２３−１０を交互に間欠動作させて、これらソースドライバ２３−１〜２３−５及び２３−６〜２３−１０からソース配線Ｓに対してソース信号を出力させる。
【００６３】
具体的にいえば、例えばソースドライバ２３−１において、図６（ｂ）及び図６（ｃ）に示すように、時点Ｔ１１〜Ｔ１２において、ソース配線Ｓ１に対するソース信号の出力タイミングが設定され、時点Ｔ１１でソース信号がソース配線Ｓ１の一端側に出力される。その後、ソースドライバ２３−６において、図６（ｄ）及び図６（ｅ）に示すように、時点Ｔ１３〜Ｔ１４において、ソース配線Ｓ２に対するソース信号の出力タイミングが設定され、時点Ｔ１３でソース信号がソース配線Ｓ２の他端側に出力される。
【００６４】
続いて、ソースドライバ２３−１では、図６（ｂ）及び図６（ｃ）に示すように、時点Ｔ１５〜Ｔ１６において、ソース配線Ｓ３に対するソース信号の出力タイミングが設定され、時点Ｔ１５でソース信号がソース配線Ｓ３の一端側に出力される。その後、ソースドライバ２３−６では、図６（ｄ）及び図６（ｅ）に示すように、時点Ｔ１７〜Ｔ１８において、ソース配線Ｓ４に対するソース信号の出力タイミングが設定され、時点Ｔ１７でソース信号がソース配線Ｓ４の他端側に出力される。
【００６５】
そして、ソースドライバ２３−１では、図６（ｂ）及び図６（ｃ）に示すように、時点Ｔ１９〜Ｔ２０において、ソース配線Ｓ５に対するソース信号の出力タイミングが設定され、時点Ｔ１９でソース信号がソース配線Ｓ５の一端側に出力される。
【００６６】
このように温度検知部２２からの検知結果が第１の閾値温度以上であるときには、上側のソースドライバ２３−１〜２３−５と下側のソースドライバ２３−６〜２３−１０とが交互に間欠動作して、ソース信号をソース配線Ｓに供給して、各画素において、液晶層４にソース電圧を充電する。
【００６７】
以上のように構成された本実施形態の液晶表示装置１では、ソース配線（データ配線）Ｓの一端側及び他端側に上側及び下側のソースドライバ（第１及び第２のデータ配線駆動回路）２３−１〜２３−５及び２３−６〜２３−１０が接続されて、当該ソース配線Ｓに対して上記ソース信号（データ信号）がソースドライバ２３−１〜２３−５及び２３−６〜２３−１０から入力されるように構成されている。また、本実施形態の液晶表示装置１では、液晶パネル（表示部）２の周囲温度を検知する温度検知部２２が設けられるとともに、パネル制御部（制御部）２１が温度検知部２２の検知結果を用いて、ソースドライバ２３−１〜２３−５及び２３−６〜２３−１０の少なくとも一方からソース配線Ｓに出力されるソース信号を制限する。これにより、本実施形態の液晶表示装置１では、上記従来例と異なり、液晶パネル２の大画面化を図ったときでも、ソースドライバ２３の負荷が増大するのを防いで、ソースドライバ２３の許容使用温度を超えることを確実に防止することができる。この結果、本実施形態では、信頼性に優れた液晶表示装置１を容易に構成することができる。
【００６８】
また、本実施形態の液晶表示装置１では、パネル制御部２１が温度検知部２２からの検知結果が第１の閾値温度以上であることを判別したときには、上側のソースドライバ２３−１〜２３−５及び下側のソースドライバ２３−６〜２３−１０を交互に間欠動作させている。これにより、本実施形態の液晶表示装置１では、上側のソースドライバ２３−１〜２３−５及び下側のソースドライバ２３−６〜２３−１０の負荷を適切に分散することができ、各ソースドライバ２３−１〜２３−１０での発熱を確実に抑制することができる。
【００６９】
また、本実施形態の液晶表示装置１では、図５及び図６に示したように、パネル制御部２１が温度検知部２２からの検知結果を用いて、上側のソースドライバ２３−１〜２３−５及び下側のソースドライバ２３−６〜２３−１０の駆動制御を変更しているので、パネル制御部２１は、上記検知結果に応じて液晶層４を適切に動作させることができる。
【００７０】
尚、上記の説明では、上側のソースドライバ２３−１〜２３−５と下側のソースドライバ２３−６〜２３−１０とを交互に間欠動作させる場合を例示して説明したが、本実施形態の液晶表示装置１は、これに限定されるものではない。すなわち、本実施形態の液晶表示装置１は、パネル制御部２１が温度検知部２２からの検知結果が第１の閾値温度以上であることを判別したときには、パネル制御部２１は上側のソースドライバ２３−１〜２３−５及び下側のソースドライバ２３−６〜２３−１０に接続された複数のソース配線Ｓのうち、所定数のソース配線Ｓに対して、上側のソースドライバ２３−１〜２３−５及び下側のソースドライバ２３−６〜２３−１０の一方からソース信号を出力させ、かつ、残りのソース配線Ｓに対して、上側のソースドライバ２３−１〜２３−５及び下側のソースドライバ２３−６〜２３−１０の他方からソース信号を出力させればよい。
【００７１】
［第２の実施形態］
図７は、本発明の第２の実施形態にかかる液晶表示装置の要部構成を説明する図である。図において、本実施形態と上記第１の実施形態との主な相違点は、パネル制御部が温度検知部からの検知結果が第２の閾値温度以上であることを判別したときには、パネル制御部は上側のソースドライバ及び下側のソースドライバのうち、いずれか一方のソースドライバだけからソース信号をソース配線に出力させる点である。なお、上記第１の実施形態と共通する要素については、同じ符号を付して、その重複した説明を省略する。
【００７２】
すなわち、図６に示すように、本実施形態の液晶表示装置１では、パネル制御部２１’が設けられている。パネル制御部２１’には、第１の実施形態のものと同様に、入力された映像信号に対して所定の画像処理を行ってソースドライバ２３及びゲートドライバ２４への各指示信号を生成する画像処理部２１ａ’と、入力された映像信号に含まれた１フレーム分の表示データを記憶可能なフレームバッファ２１ｂ’とが設けられている。
【００７３】
また、このパネル制御部２１’は、温度検知部２２からの検知結果が第２の閾値温度未満（例えば、５℃未満）であるときには、第１の実施形態のものと同様に、図５に例示したように、上側のソースドライバ２３−１〜２３−５及び下側のソースドライバ２３−６〜２３−１０の双方を同時に駆動して、ソース配線Ｓにソース信号を出力させる。
【００７４】
一方、パネル制御部２１’は、温度検知部２２からの検知結果が第２の閾値温度以上であるときには、上側のソースドライバ２３−１〜２３−５及び下側のソースドライバ２３−６〜２３−１０のうち、重力の作用方向の下側に設けられた下側のソースドライバ２３−６〜２３−１０だけから、ソース配線Ｓにソース信号を出力させる。
【００７５】
ここで、図８を参照して、上記のように構成された本実施形態の液晶表示装置１の動作について具体的に説明する。なお、以下の説明では、温度検知部２２の検知結果が第２の閾値温度以上であるときでのパネル制御部２１’の動作について主に説明する。
【００７６】
図８は、図７に示した液晶表示装置でのソースドライバの動作例を説明する図である。
【００７７】
図８において、温度検知部２２からの検知結果が第２の閾値温度以上であることを通知されると、パネル制御部２１’は上側のソースドライバ２３−１〜２３−５及び下側のソースドライバ２３−６〜２３−１０の双方を同時に駆動した場合、これらソースドライバ２３−１〜２３−５及び２３−６〜２３−１０に負荷の増大による発熱によって、故障などの異常が生じるおそれがあると判断する。それ故、パネル制御部２１’は、図８（ａ）〜図８（ｅ）に例示するように、上側のソースドライバ２３−１〜２３−５の駆動を停止させ、かつ、下側のソースドライバ２３−６〜２３−１０だけから、ソース配線Ｓにソース信号を出力させる。
【００７８】
具体的にいえば、図８（ｂ）に示すように、パネル制御部２１’は、例えばソースドライバ２３−１でのソース信号の出力停止を行わせるために、上記出力バッファ内のスリーステートバッファの状態を、ハイインピーダンスな状態とさせる。これにより、図８（ｃ）に示すように、このソースドライバ２３−１では、ソース信号は出力されない。
【００７９】
一方、例えばソースドライバ２３−６において、図８（ｄ）及び図８（ｅ）に示すように、時点Ｔ２１〜Ｔ２２において、ソース配線Ｓ１に対するソース信号の出力タイミングが設定され、時点Ｔ２１でソース信号がソース配線Ｓ１の他端側に出力される。その後、ソースドライバ２３−６では、時点Ｔ２３〜Ｔ２４において、ソース配線Ｓ２に対するソース信号の出力タイミングが設定され、時点Ｔ２３でソース信号がソース配線Ｓ２の他端側に出力された後、時点Ｔ２５〜Ｔ２６において、ソース配線Ｓ３に対するソース信号の出力タイミングが設定され、時点Ｔ２５でソース信号がソース配線Ｓ３の他端側に出力される。
【００８０】
そして、ソースドライバ２３−６では、時点Ｔ２７〜Ｔ２８において、ソース配線Ｓ４に対するソース信号の出力タイミングが設定され、時点Ｔ２７でソース信号がソース配線Ｓ４の他端側に出力された後、時点Ｔ２９〜Ｔ３０において、ソース配線Ｓ５に対するソース信号の出力タイミングが設定され、時点Ｔ２９でソース信号がソース配線Ｓ５の他端側に出力される。
【００８１】
以上の構成により、本実施形態では、上記第１の実施形態と同様な作用・効果を奏することができる。また、本実施形態の液晶表示装置１では、パネル制御部２１’が温度検知部２２からの検知結果が第２の閾値温度以上であることを判別したときには、上側のソースドライバ２３−１〜２３−５及び下側のソースドライバ２３−６〜２３−１０のうち、重力の作用方向の下側に設けられた下側のソースドライバ２３−６〜２３−１０だけから、ソース信号をソース配線Ｓに出力させている。これにより、本実施形態では、液晶表示装置１の消費電力を低減することができる。さらに、上側のソースドライバ２３−１〜２３−５及び下側のソースドライバ２３−６〜２３−１０のうち、周囲温度が高い上側のソースドライバ２３−１〜２３−５を停止しているので、上側のソースドライバ２３−１〜２３−５及び下側のソースドライバ２３−６〜２３−１０に周囲温度及び駆動に伴う発熱等に起因する故障などの異常が生じるのを容易に防ぐことができる。
【００８２】
尚、上記の説明では、第２の閾値温度を第１の閾値温度と同じ温度にした場合を例示して説明したが、本実施形態の液晶表示装置１はこれに限定されるものではなく、第１の閾値温度と異なる温度を第２の閾値温度に設定することもできる。また、上記の説明以外に、第１及び第２の実施形態を組み合わせる構成でもよい。すなわち、パネル制御部が互いに異なる第１及び第２の閾値温度を用いて、上側及び下側のソースドライバの駆動制御を行う構成でもよい。
【００８３】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【００８４】
例えば、上記の説明では、本発明を透過型の液晶表示装置に適用した場合について説明したが、本発明の表示装置はこれに限定されるものではなく、半透過型や反射型の液晶表示装置あるいは有機ＥＬ（Electronic Luminescence）素子、無機ＥＬ素子、電界放出ディスプレイ（Field Emission Display）などの各種表示装置に適用することができる。
【００８５】
また、上記の説明では、Ｍ本のソース配線（データ配線）に対して、上下５個ずつのソースドライバ（第１及び第２のデータ配線駆動回路）を設けた場合について説明したが、本発明は、データ配線の一端側及び他端側にそれぞれ接続されて、表示部に表示される情報に応じたデータ信号を出力する第１及び第２のデータ配線駆動回路と、表示部の周囲温度を検知する温度検知部を備え、制御部は、温度検知部の検知結果を用いて、第１及び第２のデータ配線駆動回路の少なくとも一方からデータ配線に出力されるデータ信号を制限するものであればよく、データ配線及び第１及び第２のデータ配線駆動回路の各設置数や接続本数などは上記のものに何等限定されない。
【００８６】
但し、上記の各実施形態のように、複数組の第１及び第２のデータ配線駆動回路を設ける場合の方が、表示部の大画面化を図ったときでも、複数組の第１及び第２の各データ配線駆動回路の負荷を確実に軽減することができる点で好ましい。
【産業上の利用可能性】
【００８７】
本発明は、表示部の大画面化を図ったときでも、データ配線駆動回路の負荷が増大するのを防ぐことができる信頼性に優れた表示装置に対して有用である。
【図面の簡単な説明】
【００８８】
【図１】本発明の第１の実施形態にかかる液晶表示装置を説明する概略断面図である。
【図２】上記液晶表示装置の要部構成を説明する図である。
【図３】上記液晶表示装置でのソースドライバ及びゲートドライバの具体的な配置を示す平面図である。
【図４】上記ソースドライバの要部構成を示すブロック図である。
【図５】上記液晶表示装置でのソースドライバの動作例を説明する図である。
【図６】上記液晶表示装置でのソースドライバの別の動作例を説明する図である。
【図７】本発明の第２の実施形態にかかる液晶表示装置の要部構成を説明する図である。
【図８】図７に示した液晶表示装置でのソースドライバの動作例を説明する図である。
【符号の説明】
【００８９】
１  液晶表示装置（表示装置）
２  液晶パネル（表示部）
２１、２１’  パネル制御部（制御部）
２２  温度検知部
２３−１〜２３−５  ソースドライバ（第１のデータ配線駆動回路）
２３−６〜２３−１０  ソースドライバ（第２のデータ配線駆動回路）
Ｓ１〜ＳＭ  ソース配線（データ配線）
Ｇ１〜ＧＮ  ゲート配線（走査配線）
Ｐ  画素
【図１】
2009288668.tif 000003
【図２】
2009288668.tif 000004
【図３】
2009288668.tif 000005
【図４】
2009288668.tif 000006
【図５】
2009288668.tif 000007
【図６】
2009288668.tif 000008
【図７】
2009288668.tif 000009
【図８】
2009288668.tif 000010